(57)【要約】【課題】差動対を形成する複数のコンタクトにおいて、クロストークの影響を効果的に軽減するための配列を採用したコネクタを提供することを目的とする。【解決手段】複数のコンタクトは、隣接するコンタクト同士の間で複数の差動対を形成している。複数の差動対のうち少なくとも３つの差動対のそれぞれを形成しているコンタクトの接触部は、軸線方向と直交する面において、垂直方向に沿って、且つ、該垂直方向における一方の側に寄った位置に位置付けられており、また、これら少なくとも３つの差動対は、直交面において、水平方向にて等距離ずつ離間された状態で互いに平行に配置されている。少なくとも３つの差動対以外の他の差動対を形成しているコンタクトの接触部は、直交面において、水平方向に沿って、且つ、垂直方向における他方の側に寄った位置に位置付けられている。【選択図】図６
2018142417.tif 000002
【特許請求の範囲】
【請求項１】
軸線方向に沿って延びる接触部をそれぞれ有した複数のコンタクトと、
前記軸線方向に沿って延びる内壁を有したハウジングと、を備え、
複数の前記接触部の外周は前記内壁によって実質的に覆われており、
前記内壁によって規定された挿入空間に、複数の前記接触部の各々と接触し得る複数の相手コンタクトが配置された被挿入部が、前記軸線方向に沿って挿入されるように構成されており、
前記複数のコンタクトは、隣接するコンタクト同士の間で複数の差動対を形成しており、
前記複数の差動対のうち少なくとも３つの差動対のそれぞれを形成しているコンタクトの接触部は、前記軸線方向と直交する面において、垂直方向に沿って、且つ、該垂直方向における一方の側に寄った位置に位置付けられており、
前記少なくとも３つの差動対は、前記直交面において、水平方向にて等距離ずつ離間された状態で互いに平行に配置されており、
複数の前記差動対のうち前記少なくとも３つの差動対以外の他の差動対を形成しているコンタクトの接触部は、前記直交面において、前記水平方向に沿って、且つ、前記垂直方向における他方の側に寄った位置に位置付けられている、
ことを特徴とするコネクタ。
【請求項２】
軸線方向に沿って延びる接触部をそれぞれ有した複数のコンタクトと、
複数の前記接触部が配置された前記軸線方向に沿って延びる被挿入部を有したハウジングと、を備え、
前記被挿入部は、複数の前記接触部の各々と接触し得る複数の相手コンタクトの接触部の外周を実質的に覆うように前記軸線方向に沿って延びる内壁によって規定された挿入空間に、前記軸線方向に沿って挿入されるように構成されており、
前記複数のコンタクトは、隣接するコンタクト同士の間で複数の差動対を形成しており、
前記複数の差動対のうち少なくとも３つの差動対のそれぞれを形成しているコンタクトの接触部は、前記軸線方向と直交する面において、垂直方向に沿って、且つ、該垂直方向における一方の側に寄った位置に位置付けられており、
前記少なくとも３つの差動対は、前記直交面において、水平方向にて等距離ずつ離間された状態で互いに平行に配置されており、
複数の前記差動対のうち前記少なくとも３つの差動対以外の他の差動対を形成しているコンタクトの接触部は、前記直交面において、前記水平方向に沿って、且つ、前記垂直方向における他方の側に寄った位置に位置付けられている、
ことを特徴とするコネクタ。
【請求項３】
前記挿入空間の断面と、前記被挿入部の断面は、前記直交面において共に略円形状を有する、請求項１又は２に記載のコネクタ。
【請求項４】
前記少なくとも３つの差動対のそれぞれを形成しているコンタクトは、前記垂直方向において、等距離ずつ離間されている、請求項１乃至３のいずれかに記載のコネクタ。
【請求項５】
前記少なくとも３つの差動対のうち前記水平方向において左右各側にそれぞれ位置する差動対は、前記垂直方向において、同じ高さに位置付けられている、請求項１乃至４のいずれかに記載のコネクタ。
【請求項６】
前記少なくとも３つの差動対のうち前記水平方向において中央に位置する差動対は、前記水平方向において左右各側にそれぞれ位置する差動対よりも、前記垂直方向において、前記一方の側に寄った位置に位置付けられている、請求項１乃至５のいずれかに記載のコネクタ。
【請求項７】
前記水平方向において中央に位置する差動対を形成しているコンタクトのそれぞれの中心を通る仮想線（Ｂ）は、前記他の差動対（Ｐ４）を形成しているコンタクトの前記水平方向における中央を通る、請求項１乃至６のいずれかに記載のコネクタ。
【請求項８】
前記水平方向において中央に位置する差動対を形成しているコンタクトのうち、前記垂直方向において前記他方の側に寄った位置に位置付けられているコンタクトは、前記水平方向において左右各側にそれぞれ位置する差動対のそれぞれを形成しているコンタクトのうち、前記垂直方向において前記一方の側に寄った位置に配置されているコンタクトと、前記垂直方向において同じ高さに位置付けられている、請求項１乃至７のいずれかに記載のコネクタ。
【請求項９】
前記コンタクトは、カテゴリー５ｅに従うコネクタであって、計８本のコンタクトを有する、請求項１乃至８のいずれかに記載のコネクタ。
【請求項１０】
請求項１に記載のコネクタと、請求項２に記載のコネクタと、を有するコネクタ装置。
【請求項１１】
請求項３乃至９のいずれかに記載のコンタクトを有する、請求項１０に記載のコネクタ装置。
【発明の詳細な説明】
【技術分野】
【０００１】
本発明は、差動対を形成する複数のコンタクトを有するコネクタ、及び、これを用いたコネクタ装置に関する。
【背景技術】
【０００２】
ＬＡＮケーブルに用いるコネクタとして、差動対を形成する複数のコンタクトを有するコネクタが開発されている。しかしながら、このタイプのコネクタでは、ネットワークの高速化、長距離化に伴って、クロストークにより挿入損失が大きくなってしまうという問題がある。特許文献１は、この問題を効果的に解決するためのコンタクトの配置例、更に言えば、差動対を形成する複数のコンタクトを有するコネクタにおけるコンタクトの配置例を示している。
【先行技術文献】
【特許文献】
【０００３】
【特許文献１】特開第２０１３−４２８１号公報
【発明の概要】
【発明が解決しようとする課題】
【０００４】
ＬＡＮケーブルに関連して、ＩＥＥＥ等の規格では様々な通信規格が定められている。また、それらの通信規格に合わせて、ＬＡＮケーブルのカテゴリーが分類されている。たとえ同じカテゴリーに属するケーブルであっても、それらケーブルに接続されたコンタクトを如何なる配置とするかによって、通信性能が大きく異なってくることは周知のとおりである。
本願は、特許文献１等と同様に、差動対を形成する複数のコンタクトにおいて、クロストークの影響を効果的に軽減するための配列を採用して電気的特性の優れたコネクタ及びコネクタ装置を提供することを目的とする。
【課題を解決するための手段】
【０００５】
クロストークの影響を効果的に軽減するには、限られた空間の中で、差動対同士を互いにできる限り離間させること、また、いずれかの差動対同士を極端に接近させないことが必要であるという知見の下、様々なシミュレーションを行い、クロストークをより効果的に軽減することができる差動対、或いは、コンタクトの配列方法を見出した。
【０００６】
（１）上記の課題を解決するため、本発明の一態様によるコネクタは、軸線方向に沿って延びる接触部をそれぞれ有した複数のコンタクトと、前記軸線方向に沿って延びる内壁を有したハウジングと、を備え、複数の前記接触部の外周は前記内壁によって実質的に覆われており、前記内壁によって規定された挿入空間に、複数の前記接触部の各々と接触し得る複数の相手コンタクトが配置された被挿入部が、前記軸線方向に沿って挿入されるように構成されており、前記複数のコンタクトは、隣接するコンタクト同士の間で複数の差動対を形成しており、前記複数の差動対のうち少なくとも３つの差動対のそれぞれを形成しているコンタクトの接触部は、前記軸線方向と直交する面において、垂直方向に沿って、且つ、該垂直方向における一方の側に寄った位置に位置付けられており、前記少なくとも３つの差動対は、前記直交面において、水平方向にて等距離ずつ離間された状態で互いに平行に配置されており、複数の前記差動対のうち前記少なくとも３つの差動対以外の他の差動対を形成しているコンタクトの接触部は、前記直交面において、前記水平方向に沿って、且つ、前記垂直方向における他方の側に寄った位置に位置付けられている、ことを特徴として有する。
（２）また、上記の課題を解決するため、本発明の別の態様によるコネクタは、軸線方向に沿って延びる接触部をそれぞれ有した複数のコンタクトと、複数の前記接触部が配置された前記軸線方向に沿って延びる被挿入部を有したハウジングと、を備え、前記被挿入部は、複数の前記接触部の各々と接触し得る複数の相手コンタクトの接触部の外周を実質的に覆うように前記軸線方向に沿って延びる内壁によって規定された挿入空間に、前記軸線方向に沿って挿入されるように構成されており、前記複数のコンタクトは、隣接するコンタクト同士の間で複数の差動対を形成しており、前記複数の差動対のうち少なくとも３つの差動対のそれぞれを形成しているコンタクトの接触部は、前記軸線方向と直交する面において、垂直方向に沿って、且つ、該垂直方向における一方の側に寄った位置に位置付けられており、前記少なくとも３つの差動対は、前記直交面において、水平方向にて等距離ずつ離間された状態で互いに平行に配置されており、複数の前記差動対のうち前記少なくとも３つの差動対以外の他の差動対を形成しているコンタクトの接触部は、前記直交面において、前記水平方向に沿って、且つ、前記垂直方向における他方の側に寄った位置に位置付けられている、ことを特徴として有する。
【０００７】
上記態様のコネクタにおいて、前記挿入空間の断面と、前記被挿入部の断面は、前記直交面において共に略円形状を有するのが好ましい。
【０００８】
上記態様のコネクタにおいて、前記少なくとも３つの差動対のそれぞれを形成しているコンタクトは、前記垂直方向において、等距離ずつ離間されているのが好ましい。
【０００９】
上記態様のコネクタにおいて、前記少なくとも３つの差動対のうち前記水平方向において左右各側にそれぞれ位置する差動対は、前記垂直方向において、同じ高さに位置付けられているのが好ましい。
【００１０】
上記態様のコネクタにおいて、前記少なくとも３つの差動対のうち前記水平方向において中央に位置する差動対は、前記水平方向において左右各側にそれぞれ位置する差動対よりも、前記垂直方向において、前記一方の側に寄った位置に位置付けられているのが好ましい。
【００１１】
上記態様のコネクタにおいて、前記水平方向において中央に位置する差動対を形成しているコンタクトのそれぞれの中心を通る仮想線は、前記他の差動対を形成しているコンタクトの前記水平方向における中央を通るのが好ましい。
【００１２】
上記態様のコネクタにおいて、前記水平方向において中央に位置する差動対を形成しているコンタクトのうち、前記垂直方向において前記他方の側に寄った位置に位置付けられているコンタクトは、前記水平方向において左右各側にそれぞれ位置する差動対のそれぞれを形成しているコンタクトのうち、前記垂直方向において前記一方の側に寄った位置に配置されているコンタクトと、前記垂直方向において同じ高さに位置付けられているのが好ましい。
【００１３】
上記態様のコネクタにおいて、前記コンタクトは、カテゴリー５ｅに従うコネクタであって、計８本のコンタクトを有するのが好ましい。
【００１４】
上記態様のコネクタにおいて、上記（１）に記載のコネクタと、上記（２）に記載のコネクタと、を有するコネクタ装置としてもよい。
【００１５】
上記態様のコネクタ装置において、上記のコンタクトを有していてもよい。
【発明の効果】
【００１６】
このような本発明によれば、差動対を形成する複数のコンタクトにおいて、クロストークの影響を効果的に軽減するための配列を採用して電気的特性の優れたコネクタ及びコネクタ装置を提供することができる。
【図面の簡単な説明】
【００１７】
【図１】本発明の一実施形態によるコネクタ装置の斜視図である。
【図２】プラグコネクタの前面、即ち、突き合わせ面の正面図である。
【図３】レセプタクルコネクタの前面、即ち、突き合わせ面の正面図である。
【図４】プラグコネクタのコンタクトの一例を示す斜視図である。
【図５】レセプタクルコネクタのコンタクトの一例を示す斜視図である。
【図６】プラグコネクタにおけるコンタクトの配列方法を説明する図である。
【図７】レセプタクルコネクタにおけるコンタクトの配列方法を説明する図である。
【図８】本実施形態の構成によって得られるクロストークの軽減効果を示す図である。
【発明を実施するための形態】
【００１８】
以下、添付図面を参照しつつ、本発明の好適な実施形態について説明する。以下においては、説明の便宜上、好適な実施形態のみを示すが、勿論、これによって本発明を限定しようとするものではない。
【００１９】
図１に、本発明の一実施形態によるコネクタ装置１の斜視図を示す。本コネクタ装置１は、プラグコネクタ２０とレセプタクルコネクタ８０の組から成る。プラグコネクタ２０とレセプタクルコネクタ８０は、それらの前面２０ａ、８０ａにて、軸線方向「α」に沿って互いに突き合わされ、バイヨネット接続される。図２、３にそれぞれ、プラグコネクタ２０とレセプタクルコネクタ８０の前面２０ａ、８０ａ、即ち、突き合わせ面の正面図を示す。
【００２０】
プラグコネクタ２０は、軸線方向「α」に沿って延びる略円筒状のコード管、即ち、ハウジング２１と、ハウジング２１の前部にハウジング２１に対して回転可能に外嵌された円環状のカップリング部材２３と、ハウジング２１の後部にハウジング２１に対して回転可能に外嵌された円環状の締付け部材２４と、更に、軸線方向「α」に沿ってハウジング２１に挿通、固定された複数のコンタクト５０を備える。
【００２１】
カップリング部材２３を利用して、プラグコネクタ２０とレセプタクルコネクタ８０をバイヨネット接続することができる。カップリング部材２３の内壁２３ｂには、バイヨネット接続を固定するために用いる、内方に突出するロック凸部２３ａが設けられている。
【００２２】
使用時には、複数のツイストペアケーブルを束ねるケーブル束（図示されていない）が、軸線方向「α」に沿って締付け部材２４の後方に延びる。ケーブル束に固定された被締付け具（図示されていない）を締付け部材２４によって締付けることにより、ケーブル束をハウジング２１に固定することができる。ケーブル束は、例えば、４組のツイストペアケーブル（すなわち、８本のケーブル）を含んでもよい。各ケーブルはそれぞれ、被締付け具に設けた端子部（図示されていない）を介して、一対一対応でコンタクト５０に固定される。これらのケーブル及びコンタクト５０は、ハウジング２１を軸線方向「α」に沿って貫通した状態で設けられている。
【００２３】
４組のツイストペアケーブルに対応して、計８個のコンタクト５０が設けられている。これらのコンタクト５０は、全て、同じ大きさ及び形状を有する。但し、これらの大きさ及び形状に限定されるものではない。図４に、コンタクト５０の一例を斜視図で示す。コンタクト５０は、本体５１と、本体５１から軸線方向「α」に沿って前方に延びるピン状の接触部５３と、本体５１の後端に設けた略円錐台状の受入部５５を有する。コンタクト５０は、本体５１の後端側に設けた係止片５１ａを利用して、ハウジング２１の基部２９（図２参照）に固定される。基部２９は、軸線方向「α」と直交する直交面「β−γ」に沿う円形の断面を有する。接触部５３は、基部２９に対して垂直に立設された状態で軸線方向「α」に沿って前方に延びている。受入部５５には、ケーブル束のうちの１本のケーブルにおける導体部分（導線）が一対一対応で接続され、ケーブルの導線とコンタクト５０とが電気的に接続される。
【００２４】
ハウジング２１の一部は、軸線方向「α」に沿って前側に延びており、略円筒状の覆部２７を形成している。ハウジング２１から露出した複数の接触部５３の外周は、覆部２７の内壁２７ｂによって覆われる。
【００２５】
覆部２７とカップリング部材２３との間に、軸線方向「α」と径方向「ｊ」に沿って環状の隙間３１が形成されている。プラグコネクタ２０とレセプタクルコネクタ８０の接続時には、この隙間３１は、レセプタクルコネクタ８０のハウジング８１の一部８３が収容される収容空間３１として用いられる。また、同接続時に、覆部２７の内壁２７ｂによって規定された空間２８は、レセプタクルコネクタ８０の一部８５が挿入される挿入空間２８として用いられる。尚、覆部２７の内壁２７ｂは、挿入空間２８に当該一部８５を案内することができるように当該一部８５の挿入方向に沿って設けられていれば足り、接触部５３の外周を途切れなく完全に覆っている必要はない。
【００２６】
レセプタクルコネクタ８０は、軸線方向「α」に沿って延びるホルダ、即ち、ハウジング８１と、ハウジング８１の後部にハウジング８１に対して回転可能に外嵌された円環状のナット８７と、更に、軸線方向「α」に沿ってハウジング８１に挿通、固定された複数のコンタクト９０を備える。ハウジング８１のフランジ部分８１ｃとナット８７との間で、筐体やパネルなどの被取付体を挟み込むことで、レセプタクルコネクタ８０は被取付体に取り付けられる。
【００２７】
ハウジング８１は、軸線方向「α」に沿って前側に延びる環状の外枠８３と、外枠８３によって周囲を包囲された状態で、外枠８３と並行して延びる略円柱状の被挿入部８５を有する。外枠８３の内壁８１ｂと被挿入部８５の外壁８５ｂとの間には、プラグコネクタ２０とレセプタクルコネクタ８０が接続される際にプラグコネクタ２０の覆部２７が挿入される挿入空間８９が設けられている。被挿入部８５には、コンタクト５０が収容、固定される、コンタクト収容部８５ａが設けられている。
【００２８】
外枠８３を利用して、プラグコネクタ２０とレセプタクルコネクタ８０をバイヨネット接続することができる。外枠８３の外壁８１ａには、略三角形状の凹部８２が形成され、略三角形状の頂部付近には、プラグコネクタ２０のカップリング部材２３に設けたロック凸部２３ａに対応してロック凹部８２ａが設けられている。カップリング部材２３を回動させることにより、ロック突部２３ａをロック凹部８２ａに落とし込んで、接続を固定することができる。
【００２９】
使用時には、複数のツイストペアケーブルを束ねるケーブル束（図示されていない）が、軸線方向「α」に沿ってナット８７の後方に延びる。ケーブル束は、例えば、４組のツイストペアケーブル（すなわち、８本のケーブル）を含んでもよい。各ケーブルにおける導体部分（導線）はそれぞれ、一対一対応でコンタクト９０の受入部９５（図５参照）に固定され、ケーブルの導線とコンタクト９０とが電気的に接続される。これらのコンタクト９０は、ハウジング８１に設けたコンタクト収容部８５ａを軸線方向「α」に沿って貫通した状態で設けられている。
【００３０】
４組のツイストペアケーブルやプラグコネクタ２０のコンタクト５０に対応して、計８個のコンタクト９０が設けられている。これらのコンタクト９０は、全て、同じ大きさ及び形状を有する。但し、これらの大きさ及び形状に限定されるものではない。図５に、コンタクト９０の一例を斜視図で示す。コンタクト９０は、本体９１と、本体９１の前端に設けた断面略「コ」字状の固定片９２と、本体９１から軸線方向「α」に沿って前方に延びる接触部９３と、更に、本体９１の後端に設けた略円錐台状の受入部９５を有する。本体９１の後端側には係止片９１ａが設けられており、この係止片９１ａと固定片９２を利用して、コンタクト９０をハウジング８１の被挿入部８５に固定することができる。接触部９３は、対の挟持片９３ａ、９３ｂから構成されており、プラグコネクタ２０とレセプタクルコネクタ８０の接続時には、これらの挟持片９３ａ、９３ｂを利用して、コンタクト５０のピン状の接触部５３を弾性挟持することができる。接触部９３は、軸線方向「α」と直交する直交面「β−γ」に沿う円形の断面を有した被挿入部８５から軸線方向「α」に沿って、且つ、断面に対して垂直に延出されている。
【００３１】
プラグコネクタ２０とレセプタクルコネクタ８０が突き合わされたとき、レセプタクルコネクタ８０のハウジング８１の外枠８３は、プラグコネクタ２０の覆部２７とカップリング部材２３との間に形成された収容空間３１に挿入される。また、このとき、プラグコネクタ２０の覆部２７は、レセプタクルコネクタ８０の外枠８３と被挿入部８５との間に形成された挿入空間８９に挿入される。更に、このとき、レセプタクルコネクタ８０の被挿入部８５は、プラグコネクタ２０の覆部２７を利用して規定された挿入空間２８に挿入される。挿入空間２８の断面と被挿入部８５の断面は、直交面「β−γ」において共に略円形状を有する。レセプタクルコネクタ８０のコンタクト９０が配置された被挿入部８５が、プラグコネクタ２０のコンタクト５０が配置された挿入空間２８に挿入されることにより、プラグコネクタ２０のコンタクト５０の接触部５３と、レセプタクルコネクタ８０のコンタクト９０の接触部９３とが一対一対応で接触し得る。挿入空間２８に対する被挿入部８５の向きを決定するため、覆部２７に、軸線方向「α」に沿うスリット２７ａを、これに対応して、ハウジング８１の内壁８１ｂに、内方に突出した突起８８を、それぞれ設けている。
【００３２】
図６、７を参照して、プラグコネクタ２０とレセプタクルコネクタ８０のそれぞれにおける、コンタクト５０、９０の配列方法を説明する。これらの図は、概略、図２、３に示した正面図から、コンタクト５０、９０だけをそのままの配列状態で抜き出した正面図に相当する。便宜上、図６では、コンタクト５０に加え、挿入空間２８を規定する覆部２７をも示している。
【００３３】
本出願人は、クロストークの影響を効果的に軽減するには、限られた空間の中で、差動対同士を互いにできる限り離間させること、また、いずれかの差動対同士を極端に接近させないことが必要であるという知見の下、様々なシミュレーションを行い、図６、図７に示すような好ましい配列方法を見出した。ここでは、計８個のコンタクト５０が、覆部２７を利用して規定された、直交面「β−γ」における挿入空間２８の中で、隣接するコンタクト同士の間で差動対Ｐ１〜Ｐ４を形成し、また、計８個のコンタクト９０が、被挿入部８５の中で、隣接するコンタクト同士の間で差動対Ｑ１〜Ｑ４を形成している。図６、図７から明らかなように、プラグコネクタ２０におけるコンタクト５０の配列と、レセプタクルコネクタ８０におけるコンタクト９０の配列は、実質的に同じであることから、以下、プラグコネクタ２０だけを参照して、端子の配列方法の詳細を説明する。レセプタクルコネクタ８０については、プラグコネクタ２０と同様に考えればよい。
【００３４】
図６において、垂直線Ａ〜Ｃ、及び、これらの垂直線Ａ〜Ｃと直交する水平線Ｄ〜Ｇは、それぞれ、直交面「β−γ」において、コンタクト５０Ａ〜５０Ｈの略中心、更に言えば、接触部５３の略中心を通過しているものとする。図６から明らかなように、差動対Ｐ１〜Ｐ４のうち少なくとも３つの差動対、例えば、垂直線Ａ〜Ｃに沿って配置された差動対Ｐ１〜Ｐ３のそれぞれを形成しているコンタクト（５０Ａ、５０Ｂ）（５０Ｃ、５０Ｄ）（５０Ｅ、５０Ｆ）の接触部（５３）は、直交面「β−γ」において、更に詳細には、直交面「β−γ」のうち挿入空間２８を規定している面内において、垂直方向「β」に沿って、且つ、垂直方向「β」における一方の側、例えば、上方に寄った位置に位置付けられている。これらの差動対Ｐ１〜Ｐ３は、また、直交面「β−γ」において、水平方向「γ」にて等距離ずつ離間された状態で互いに平行に配置されている、換言すれば、垂直線Ａ〜Ｃは互いに平行であるとともに、Ａ−Ｂ間とＢ−Ｃ間の距離は等しく設定されている。
一方、差動対Ｐ１〜Ｐ４のうち差動対Ｐ１〜Ｐ３以外の他の差動対Ｐ４を形成しているコンタクト（５０Ｇ、５０Ｈ）の接触部（５３）は、直交面「β−γ」において、水平方向「γ」に沿って位置付けられている。更に、これらコンタクト（５０Ｇ、５０Ｈ）の接触部（５３）は、垂直方向「β」における他方の側、例えば、下方に寄った位置に位置付けられている、換言すれば、コンタクト５０Ｇ、５０Ｈを通過する水平線Ｇは、コンタクト５０Ａ〜５０Ｆを通過する水平線Ｄ〜Ｆよりも下方に位置付けられている。
【００３５】
ここで、差動対Ｐ１〜Ｐ３のそれぞれを形成しているコンタクト（５０Ａ、５０Ｂ）（５０Ｃ、５０Ｄ）（５０Ｅ、５０Ｆ）は、垂直方向「β」において、等距離ずつ離間されている、換言すれば、水平線Ｄ〜Ｆにつき、Ｄ−Ｅ間とＥ−Ｆ間の距離は等しく設定されているのが好ましい。Ｆ−Ｇ間の距離は、Ｄ−Ｅ間及びＥ−Ｆ間の距離と等しく設定されていてもよいが、図示実施形態のように、それらよりも大きく設定するのが好ましい。
【００３６】
また、差動対Ｐ１〜Ｐ３のうち水平方向「γ」において左右各側にそれぞれ位置する差動対Ｐ２、Ｐ３は、垂直方向「β」において、同じ高さに位置付けられている、換言すれば、コンタクト５０Ｃ及び５０Ｅは共に水平線Ｅ上に存在し、且つ、コンタクト５０Ｄ及び５０Ｆは共に水平線Ｆ上に位置するのが好ましい。
【００３７】
更に、差動対Ｐ１〜Ｐ３のうち水平方向「γ」において中央に位置する差動対Ｐ１は、水平方向「γ」において左右各側にそれぞれ位置する差動対Ｐ２、Ｐ３よりも、垂直方向「β」において、上記一方の側、即ち、上方に寄った位置に、換言すれば、コンタクト５０Ａを通る水平線Ｄは、コンタクト５０Ｃ及び５０Ｅを通る水平線Ｅよりも、上方に位置付けられているのが好ましい。
【００３８】
更にまた、水平方向「γ」において中央に位置する差動対Ｐ１を形成しているコンタクト（５０Ａ、５０Ｂ）のそれぞれを通る仮想線「Ｂ」は、前記他の差動対Ｐ４を形成しているコンタクト（５０Ｇ、５０Ｈ）の水平方向「γ」における中央「ｆ」を通るのが好ましい。すなわち、コンタクト５０Ａまたは５０Ｂと、コンタクト５０Ｇと、コンタクト５０Ｈとで二等辺三角形が形成される。
【００３９】
また、水平方向「γ」において中央に位置する差動対Ｐ１を形成しているコンタクト（５０Ａ、５０Ｂ）のうち、垂直方向「β」において上記他方の側、即ち、下方に寄った位置に位置付けられているコンタクト（５０Ｂ）は、水平方向「γ」において左右各側にそれぞれ位置する差動対Ｐ２、Ｐ３のそれぞれを形成しているコンタクト（５０Ｃ、５０Ｄ）（５０Ｅ、５０Ｆ）のうち、垂直方向「β」において上記一方の側、即ち、上方に寄った位置に配置されているコンタクト（５０Ｃ、５０Ｅ）と、垂直方向「β」において同じ高さに位置付けられている、換言すれば、コンタクト５０Ｂを通る水平線Ｅと、コンタクト５０Ｃ、５０Ｅを通る水平線Ｅは、同じであるのが好ましい。
【００４０】
図８を参照して、本実施形態によって得られるクロストークの軽減効果を説明する。この図は、本実施形態の一実施例に係るプラグコネクタ２０において発生するクロストーク、更に言えば、プラグコネクタ２０の差動対Ｐ１〜Ｐ４間において発生するクロストークを、シミュレーションによって評価したものである。横軸は、周波数（ＧＨｚ）を、縦軸は、挿入損失（ｄＢ）を、それぞれ示す。シミュレーションには、ＡＮＳＹＳ社製の「ＡＮＳＹＳ  ＨＦＳＳ」を用いた。条件として、プラグコネクタ２０のハウジング２１、及び、レセプタクルコネクタ８０のハウジング８１には、ＰＢＴ（ポリプチレンテレフタレート）を用いたと仮定した。試験基準は、ＩＥＥＥ８０２．３に基づき、カテゴリー５ｅにおける挿入損失の規格値よりも小さいか否かについて解析した。グラフ中、例えば、「Ｐ４＋Ｐ２」は、差動対Ｐ４と差動対Ｐ２の間に生ずる挿入損失を示している。図８から明らかなように、本構成によれば、差動対間の挿入損失は、いずれも規格値をクリアしている。尚、「Ｐ１＋Ｐ４」については、規格値よりもかなり小さいため、グラフ上には現れていないだけで、規格値を大きくクリアしたものとなっている。よって、本発明によれば、差動対を形成する複数のコンタクトにおいて、クロストークの影響を効果的に軽減するための配列を採用したコネクタが提供される。
【００４１】
尚、本発明は、上述した実施の形態に限定されるわけではなく、その他種々の変更が可能である。例えば、本実施形態では、代表的な、４組のツイストペアケーブルに使用されるコンタクトを例に挙げて説明したが、コネクタに使用される芯線の数は、ＬＡＮケーブルの規格によって異なるものであり、本実施形態に示された技術思想を応用して、４組以外のツイストペアケーブルに使用されるコネクタも、容易に開発することができるだろう。このように、本発明は、他の及び異なる実施形態で構成することもでき、そしてその多数の細部は、本発明の精神及び範囲から逸脱せずに、種々の明らかな観点において変更することができる。従って、図面及び説明は、例示に過ぎず、これに限定されるものではない。
【符号の説明】
【００４２】
１  コネクタ装置
２０  プラグコネクタ
２０ａ  前面
２１  ハウジング（コード管）
２７  覆部
２７ｂ  内壁
２８  挿入空間
２９  基部（直交面）
３１  収容空間
５０  コンタクト
５１  本体
５３  接触部
８０  レセプタクルコネクタ
８０ａ  前面
８１  ハウジング（ホルダ）
８１ａ  外壁
８１ｂ  内壁
８３  環状の外枠
８５  被挿入部
８５ａ  コンタクト収容部
８５ｂ  外壁
８９  挿入空間
９０  コンタクト
９３  接触部
【図１】
2018142417.tif 000003
【図２】
2018142417.tif 000004
【図３】
2018142417.tif 000005
【図４】
2018142417.tif 000006
【図５】
2018142417.tif 000007
【図６】
2018142417.tif 000008
【図７】
2018142417.tif 000009
【図８】
2018142417.tif 000010